(57)【要約】【課題】直脚歩行方法を用いて着踵衝撃を減少しながら底面転がり移動する下凸の湾曲踵底靴は後方に適度に突出した踵接地面（２１）を特徴とする後突出部（１１１）を備えるため、階段の昇降や混雑した電車内のように狭い足場や空間にあっては、この後突出部（１１１）が周囲の物に当たり立ち振る舞いに支障を来した。【解決手段】湾曲踵底（１１）の後突出部（１１１）を、底（１）内部に押し入れて格納したり、引き出して所定位置に設置できる摺動底（１３）を用いるか、または踵後部に付けたり外したりできる付け踵底（１４）を用いる。【選択図】図１
2011139745.tif 000002
【特許請求の範囲】
【請求項１】
後突出部（１１１）の踵接地面（２１）の後突出長（ｔ）ｔが水平に測って２ｃｍ＜ｔ≦１０ｃｍの範囲にある湾曲した踵底（１１）を特徴とする底（１）に関して、前記後突出部（１１１）と前記踵底（１１）後方中央の一部を前記踵底（１１）から分離し、分離元の前記踵底（１１）および底（１）中央に亘る内部に、後方に開口した空洞の側壁にロックピン穴（７８）を備える摺動外箱（６１）を設け、分離された前記後突出部（１１１）と前記踵底（１１）後方中央の一部の内部に前記摺動外箱（６１）内に挿入して前後に摺動可能な空洞の側壁にロックピン孔（７７）を備える摺動内箱（６２）を設け、前記摺動内箱（６２）内に前記後突出部（１１１）後方位置に備える摘み（７３）を介して駆動操作できるロックピン（７２）駆動リンク装置（７）を設けた摺動底（１３）を特徴とする湾曲踵底靴。
【請求項２】
後突出部（１１１）の踵接地面（２１）の後突出長（ｔ）ｔが水平に測って２ｃｍ＜ｔ≦１０ｃｍの範囲にある湾曲した踵底（１１）を特徴とする底（１）に関して、前記後突出部（１１１）を前記踵底（１１）から分離し、分離元の前記踵底（１１）内部に、後方に開口した空洞の中央凹箱（９１１）と側壁に引掛け穴（９３）を備える側凹箱（９１２）で成る凹箱（９１）を設け、分離された前記後突出部（１１１）内部に前記凹箱（９１）内に挿入して接合固定する前記中央凹箱（９１１）内部に挿入接合する中央凸箱（９２１）と前記側凹箱（９１２）の引掛け穴（９３）に引掛ける引掛け爪（９７）を備える側凸部（９２２）で成る凸箱（９２）を設け、前記側凸部（９２２）内の駆動バー（９６）に接続して前記後突出部（１１１）前方側壁外に側壁孔（９５１）を貫通して接続する摘み（９４）を介して駆動操作できる引掛け爪（９７）駆動装置（７）を設けた付け踵底（１４）を特徴とする湾曲踵底靴。
【発明の詳細な説明】
【技術分野】
【０００１】
本発明は、履物底の構造に関する。詳しくは、踵底後突出部の底内格納構造および付け外し構造に関する。
【背景技術】
【０００２】
本特許提案者は、下凸に湾曲して後方に適度に突出した踵接地面（２１）を特徴とする底（１）靴を履き、支持脚の膝を曲げない直脚歩行方法を使って前記踵接地面（２１）を足の回転動作で踵部下へ出し入れし、踝（Ｋ）に股関節（Ｈ）の上下動とは逆向きの上下動を与えて股関節（Ｈ）を一定高さに近づけて支持する方法をとり、着踵時に前記接地面（２）を足回転動作で制動しながら地面に着踵し転がして着踵衝撃を緩和しながら、二脚による歩行と足回転による接地面（２）転がりで移動する湾曲踵底靴を提案した経緯がある。この技術の特徴の一つは後突出部を有する踵底を使うことであったが、階段の昇降や混雑した電車内のように狭い足場や空間にあっては、前記の後突出部が邪魔となり、従来の動きや立ち振る舞いができないという問題があった。（例えば、特許文献１参照。）。
【先行技術文献】
【特許文献】
【０００３】
【特許文献１】特願2009−205265号公報（要約、図１および請求項３）
【発明の概要】
【発明が解決しようとする課題】
【０００４】
上記先行特許である湾曲踵底靴は後突出部が付加されていることが一つの特徴であって、従来靴に比べ踵底が後へ長く出ており、狭い空間での歩行や行動では前記後突出部が邪魔となるという問題点があった。そして、前記後突出部を簡単な操作で、底内部に退避させて格納できる構造や一時的に取り外すことのできる構造の考案が課題であった。
【課題を解決するための手段】
【０００５】
請求項１の靴は、後突出部（１１１）と踵底（１１）後方中央の一部を踵底（１１）から分離し、分離元の前記踵底（１１）および底（１）中央に亘る内部に、後方に開口した空洞の側壁にロックピン穴（７８）を備える摺動外箱（６１）を設け、分離された前記後突出部（１１１）と踵底（１１）後方中央の一部の内部に前記摺動外箱（６１）内に挿入して前後に摺動可能な空洞の側壁にロックピン孔（７７）を備える摺動内箱（６２）を設け、前記摺動内箱（６２）内に前記後突出部（１１１）後方位置に備える摘み（７３）を介して駆動操作できるロックピン（７２）駆動リンク装置（７）を設けた摺動底（１３）を用いる。摺動方式には平面を合わせて摺動する直線的摺動方式と同じ中心線で成る円筒面を合わせて摺動する回転摺動方式とがあるが、前者は後者の円筒面の半径が無限大時の例で本質的には同質である。
【０００６】
請求項２の靴は、後突出部（１１１）を踵底（１１）から分離し、分離元の前記踵底（１１）内部に、後方に開口した空洞の中央凹箱（９１１）と側壁に引掛け穴（９３）を備える側凹箱（９１２）で成る凹箱（９１）を設け、分離された前記後突出部（１１１）内部に前記凹箱（９１）内に挿入して接合固定する前記中央凹箱（９１１）内部に挿入して接合する中央凸部（９２１）と前記側凹箱（９１２）の引掛け穴（９３）に引掛ける引掛け爪（９７）を備える側凸部（９２２）で成る凸箱（９２）を設け、前記側凸部（９２２）内の駆動バー（９６）に接続して前記後突出部（１１１）前方側壁外に側壁孔（９５１）を貫通、接続する摘み（９４）を介して駆動操作できる引掛け爪（９７）駆動装置（７）を設けた付け踵底（１４）を用いる。
【発明の効果】
【０００７】
請求項１の靴の効果は、後突出部（１１１）を必要に応じて簡単な操作で底内部に押し込み格納して、または所定位置に引き出し設置して使用することができる。
【０００８】
請求項２の靴の効果は、後突出部（１１１）を必要に応じて簡単な操作で取外して、または取付けて使用することができる。
【図面の簡単な説明】
【０００９】
【図１】図１は第１実施形態の実施例１、代表的な直線的摺動方式の引出位置の図で、湾曲踵底靴の部分断面図を含む立面図である。
【図２】図２は図１の、下から見た部分断面図を含む平面図である。
【図３】図３は第１実施形態の実施例１の格納位置の図で、部分断面図を含む立面図である。
【図４】図４は第１実施形態の実施例１、摺動箱（６）の上半分ロックオン下半分ロックオフ表示の拡大断面図の立面図である。
【図５】図５は図４の、下から見た断面で上半分ロックオフ下半分ロックオン表示の平面図である。
【図６】図６は図４の、後方から見たＡＡ断面の側面図である。
【図７】図７は第１実施形態の実施例２、代表的な回転摺動方式の引出位置の図で、湾曲踵底靴の部分断面図を含む立面図である。
【図８】図８は図７の、下から見た部分断面図を含む平面図である。
【図９】図９は第１実施形態の実施例２、格納位置の図で、部分断面図を含む立面図である。
【図１０】図１０は第１実施形態の実施例２、摺動箱（６）の上半分ロックオン下半分ロックオフ表示の拡大断面図の立面図である。
【図１１】図１１は図１０の、下から見た断面で上半分ロックオフ下半分ロックオン表示の平面図である。
【図１２】図１２は図１０の、後方から見たＢＢ断面の側面図である。
【図１３】図１３は第２実施形態の実施例３、付け踵底（１４）の代表例の取付け図で、湾曲踵底靴の部分断面図を含む立面図である。
【図１４】図１４は図１３の、下から見たＣＣ部分断面図を含む平面図である。
【図１５】図１５は図１４のＥ部分拡大断面図である。
【図１６】図１６は図１３の後突出部（１１１）の取付け面を前方から見た側面図である。
【図１７】図１７は図１５のＦ部分拡大図である。
【発明を実施するための形態】
【００１０】
第１実施の形態は、後突出部（１１１）と踵底（１１）後方中央の一部を踵底（１１）から分離し、分離元の前記踵底（１１）および底（１）中央に亘る内部に、後方に開口した空洞の側壁にロックピン穴（７８）を備える摺動外箱（６１）を設け、分離された前記後突出部（１１１）と踵底（１１）後方中央の一部の内部に前記摺動外箱（６１）内に挿入して前後に摺動可能な空洞の側壁にロックピン孔（７７）を備える摺動内箱（６２）を設け、前記摺動内箱（６２）内に前記後突出部（１１１）後方位置に備える摘み（７３）を介して駆動操作できるロックピン（７２）駆動リンク装置（７）を設けて摺動底（１３）を構成する。そして、前記分離元の底（１）内部に後突出部（１１１）付き摺動底（１３）を押し入れて格納することと、引き出して所定位置に設置することができる。摺動方式には平面を合わせて摺動する直線的摺動方式と同じ中心線で成る円筒面を合わせて摺動する回転摺動方式があるが、前者は後者の円筒面の半径が無限大の例で本質的には同質である。
【実施例１】
【００１１】
実施例１は、直線的摺動方式の代表例の靴右足用を示す、引出位置が一箇所の例である。図１は第１実施形態の実施例１、代表的な直線的摺動方式の引出位置の図で、湾曲踵底靴の部分断面図を含む立面図である。図２は図１の、下から見た部分断面図を含む平面図である。そして、図３は第１実施形態の実施例１の格納位置の図で、部分断面図を含む立面図である。図に基づき概要を説明する。図１の摺動底（１３）の後突出部（１１１）は摺動外箱（６１）の内側に挿入する摺動内箱（６２）の下方位置に設けて図２に示すように引出位置にロックピン（７２）を介して固定し所定の連続した長い湾曲踵底を形成すように構成してある。格納する時は、後突出部（１１１）後方の摘み（７３）を一度摘み込んで指を放すと、ロックピン（７２）が所定のロックピン摺動長さ（ｖ）だけ摺動して外側のロックピン穴（７８）を外れて、その後は、詳しくは後述するが、自動的に格納位置に図２に示す出し入れ摺動長さ（ｕ）だけ奥に摺動し奥のロックピン穴（７８）にロックされるリンク機構となっている。そして、図１の接足面傾斜角度（α）はα＝５°であるが、摺動箱（６）の傾斜角度を３．２°に設定して格納位置では後突出部（１１１）の摺動接地面（２３）が図３に点線で示すように前方両側位置に当たる踵底（１１）の踵接地面（２１）に挟まれた位置に隠れる（接地しない空間に格納する）ようにした例で、図中に示す摺動長さ（ｕ）ｕは後突出部（１１１）を前後方向に引出し押込みすることのできるロックピン孔（７８）間の長さである。
【００１２】
摺動外箱（６１）、摺動内箱（６２）およびロックピン（７２）駆動リンク装置（７）を拡大図に基づき構造を説明する。図４は第１実施形態の実施例１、摺動箱（６）の上半分ロックオン下半分ロックオフ表示の拡大断面図の立面図である。図５は図４の、下から見た断面で上半分ロックオフ下半分ロックオン表示の平面図である。図６は図４の、後方から見たＡＡ断面の側面図である。摺動箱（６）は図４，５、６に示すように後方に開口した空洞の側壁にロックピン穴（７８）を備える摺動外箱（６１）内に、後方に開口した空洞の側壁にロックピン孔（７７）を備える摺動内箱（６２）を挿入して前後に摺動可能に設けて、前記摺動内箱（６２）内に前記摺動内箱（６２）下方に位置する後突出部（１１１）の後方位置に備える摘み（７３）を介して駆動操作できるロックピン駆動リンク装置（７）を設ける。前記ロックピン駆動リンク装置（７）は図５に示す左右２個の前記摘み（７３）に繋がる２本の駆動バー（７１）の中央の外側にそれぞれ直角にロックピン（７２）を設けて摺動内箱（６２）側壁のロックピン孔（７８）に嵌める。前記駆動バー（７１）の中央と奥の２か所に上下に貫通した回転軸用の４本のピン（７４）を設け、前記４本のピン（７４）の両側に、同じ長さの８本の両端にピン孔を備えたアーム（７５）の一端を回転自在に取り付けて他端を、１本のＨ字形の中央アーム（７６）の４端に設けた両側に貫通した回転軸用の４本のピン（７４）にそれぞれを回転自在に取り付ける。そして、図４の右下方および図５の右中央に示すようにＶ字バネ（８４）を図５の中央の２本のピン（７４）間を広げるように右下部を止具（８５）で固定して設け、図４の左上の太点線と、図５の太点線で示すコイルスプリング（８０）を、図４に示すように左端を摺動外箱（６１）奥壁内側に止具（８１）で固定し摺動内箱（６２）奥壁を貫き上壁内側中央部に右端を止具（８１）で固定して両摺動箱（６）を引き寄せるように設ける。そして、図５に示す摺動外箱（６１）の側壁のロックピン穴（７８）間の内側にロックピン（７２）の出し入れ摺動長さ（ｕ）と上下方向を制限する摺動溝（７９）を設け、ロックピン（７２）頭端位置を制限して摺動溝（７９）からの抜け出しを防止するストッパー（８６）を中央アーム（７６）側面に設けた例である。また、図６に示すように摺動外箱（６１）は下側中央部分を開口させて両側部の下端を内側へ水平に壁を曲げ伸ばして鉤状構造とし、摺動内箱（６２）の下方への抜け出しを防止する。そして、前記摺動外箱（６１）の下側中央開口部に摺動内箱（６２）と一体に接続する後突出部（１１１）が摺動出入りして所定位置にロック（支持固定）される構造である。図５の上中央、図６の左端に示すロックオフピン（８７）は摺動外箱（６１）の壁内側のロックピン穴（７８）外側に設けたもので、ピン先端は外からピン頭を押込むか、または摘み（７３）を摘むと、ロックピン穴（７８）のピン穴内端まで摺動する構造であり、摺動した状態図である。図１のオン用リング（４１）は可撓性の輪状の紐構造で、手を使わずに両足の動作で両摘み（７３）の頭頂の鉤部に引掛けて引くと、踵底（１１）後突出部（１１１）を引出位置に設置できる例である。
【００１３】
ロックピン駆動リンク装置（７）の作動方法、即ち後突出部（１１１）を図１，２に示す状態の引出位置から図３に示す格納位置に格納する時の操作手順と作動の関係を説明する。図２の両摘み（７３）を摘んで放すと、ロックピン（７２）がロック位置からロックピン摺動長さ（ｖ）だけ内側に摺動してロックピン穴（７８）から図５に示す摺動溝（７９）まで脱し、図５上半側、図６左半側のピン位置状態になりロックが外れ、コイルスプリング（８０）の引張作用により摺動内箱（６２）が摺動外箱（６１）の奥へ出し入れ摺動長さ（ｕ）だけ引き込まれてストッパー（８２）に当たり、ロックピン（７２）は奥のロックピン穴（７８）中心線上に合わさり、Ｖ字バネ（８４）の拡幅作用によりロックピン穴（７８）内にロックピン摺動長さ（ｖ）分だけ摺動して両摺動箱（６）が格納位置に図５下半側、図６右半側のロックピン（７２）状態にロックされて両摺動箱（６）の相対位置が固定される。
【００１４】
後突出部（１１１）を引出位置に設置する時は、摺動外箱（６１）を押さえ両摘み（７３）を挟み摘み込んでロックピン（７２）をロックピン摺動長さ（ｖ）だけ摺動させて摺動溝（７９）まで抜き出し、次いで摘み込んだ状態でコイルスプリング（８０）の引張作用に抗して出し入れ摺動長さ（ｕ）だけ引出すとロックピン（７２）は摺動溝（７９）外端即ち引出位置のロックピン穴（７８）中心線上で止まる。次いで両摘み（７３）を放すと、ロックピン（７２）はＶ字バネ（８４）の拡幅作用でロックピン穴（７８）内にロックピン摺動長さ（ｖ）を摺動して両摺動箱（６）が引出位置に図５下半側、図６右半側のロックピン（７２）状態にロックされて両摺動箱（６）の相対位置が固定される。
【００１５】
使用方法を説明する。後突出部（１１１）は、指で両摘み（７３）を摘み込み引出位置まで引き出して指を放し、所定位置に設置してから長い湾曲踵底靴として使用する。反対に、摺動接地面（２３）を離地させて指で両摘み（７３）を一度摘み込んでから指を放し、自動的に格納させてから短い湾曲踵底靴として使用する。また、必要に応じて手を使わずに足を使い、次の方法で後突出部（１１１）の設置および格納ができる。足の動作を使い、摺動接地面（２３）を離地させた両摘み（７３）の頭頂鉤部に、もう一方の底（１）のオフ用リング（１３）を引っ掛けて、引出位置まで引出して外すと自動的に設置できる。また、摺動接地面（２３）を離地させてロックオフピン（８７）の頭頂部をもう一方の底（１）内側外側面で押さえ込んでから放すと、自動的に格納できる。
【実施例２】
【００１６】
実施例２は、回転摺動方式の代表例の靴右足用を示す、引出位置が二箇所の例である。図７は第１実施形態の実施例２、代表的な回転摺動方式の引出位置の図で、湾曲踵底靴の部分断面図を含む立面図である。図８は図７の、下から見た部分断面図を含む平面図である。そして、図９は第１実施形態の実施例２の格納位置の図で、部分断面図を含む立面図である。図に基づき概要を説明する。図７の摺動底（１３）後突出部（１１１）は摺動外箱（６１）の内側に挿入した摺動内箱（６２）の下方位置に設けて引出位置に図８に示すようにロックピン（７２）を介して所定の連続した長い湾曲踵底を形成すように一体に接合して固定されている。格納する時は、後突出部（１１１）後方の摘み（７３）を一度摘み込んで指を放すと、ロックピン（７２）が所定のロックピン摺動長さ（ｖ）だけ摺動してロックピン穴（７８）を外れて、その後は、後述するが、自動的に中間位置および格納位置に摺動し奥のロックピン穴（７８）にロックされるリンク機構となっている。そして、図７の接足面傾斜角度（α）はα＝０°で、接地面（２）断面形状の半径（Ｒ）Ｒがほぼ膝高さの例で、両摺動箱（６）の摺動面は膝回動中心線位置を中心線とする円筒壁の湾曲面で形成し、同じ中心線回りに回動し摺動するようになっている。後突出部（１１１）の摺動接地面（２３）の前方部分は両側位置に当たる摺動接地面（２３）に挟まれており、図７部分切断図に示すように踵接地面（２１）位置に重なり隠れている。図中に示す摺動長さ（ｕ）ｕは後突出部（１１１）を前後方向に引出し押込みすることのできる奥ロックピン孔（７８）と後端ロックピン孔（７８）間の長さであり、引出位置は中間と後端の二箇所である。摺動長さ（ｕ）を摺動回転角（Φ）で表すとΦ≒１４°の例であり、引出位置は７°と１４°の二箇所である。
【００１７】
摺動外箱（６１）、摺動内箱（６２）およびロックピン（７２）駆動リンク装置（７）を拡大図に基づき構造を説明する。図１０は第１実施形態の実施例２、摺動箱（６）の上半分ロックオン下半分ロックオフ表示の拡大断面図の立面図である。図１１は図１０の、下から見た断面で上半分ロックオフ下半分ロックオン表示の平面図である。図１２は図１０の、後方から見たＢＢ断面の側面図である。摺動箱（６）は図１１に示すように右に開口した空洞の側壁にロックピン穴（７８）を備える摺動外箱（６１）内に右に開口した空洞の側壁にロックピン孔（７７）を備える摺動内箱（６２）を挿入して底（１）の前後に摺動可能に設けて、前記摺動内箱（６２）内に図１０に示すように前記摺動内箱（６２）下方に設置した後突出部（１１１）の後方位置に備える摘み（７３）を介して駆動操作できるロックピン駆動リンク装置（７）を構成する。即ち、左右２個の前記摘み（７３）に繋がる２本の駆動バー（７１）は中央の外側にそれぞれ直角にロックピン（７２）を接続して摺動内箱（６２）側壁の図１１に示すロックピン孔（７８）に嵌める。前記駆動バー（７１）の中央と左端の２か所に上下に貫通した回転軸用の４本のピン（７４）を設け、前記４本のピン（７４）の両側に８本の両端にピン孔を備えたアーム（７５）の一端を回転自在に取り付けて他端を、１本のＨ字形の中央アーム（７６）の４端に設けて両側に貫通した回転軸用の４本のピン（７４）にそれぞれを回転自在に取り付ける。そして、図１０の右下方および図１１の右中央に示すようにＶ字バネ（８４）を中央の２本のピン（７４）間を広げるように右下部を止具（８５）で固定して設ける。中央アーム（７６）の両側面にストッパー（８６）を設けてロックピン（７２）先端のロックピン穴（７８）内の奥摺動端と摺動溝（７７）の抜け防止の入口側摺動端を制限している。図１０の左中央の太点線と、図１１の左中央の太点線で示すコイルスプリング（８０）を、左端を摺動外箱（６１）奥壁内側に止具（８１）で固定し摺動内箱（６２）奥壁を貫き上壁内側中央部に右端を止具（８１）で固定して両摺動箱（６）を引き寄せるように設けた例である。図１２に示すように摺動外箱（６１）は下側中央部分が開口して両側の下端は側壁が内側へ垂直から水平に曲げ伸ばした鉤構造として内側に摺動内箱（６２）を抱えて下方への抜け出さないようにしてある。そして前記摺動外箱（６１）の下側中央開口部に摺動内箱（６２）と一体に接続する後突出部（１１１）が摺動して所定位置に支持固定できる構造である。図１１の右上に示すロックオフピン（８７）は摺動外箱（６１）の内側壁のロックピン穴（７８）外側の靴底側壁に設けた側壁孔（８９）内にコイルスプリング（８８）で外側へ押えるように設け、ピン先端がロックピン穴（７８）のピン穴内端まで押込み摺動可能な構造としたものである。図７のオフ用リング（４１）は可撓性の輪状の紐構造の例であり、それを、手を使わずに左右足の動作で両摘み（７３）の頭頂の鉤部に引掛けて後方へ引くと、摺動底（１３）後突出部（１１１）を引出位置に設置することができる。
【００１８】
ロックピン駆動リンク装置（７）の作動方法を、図１０，１１に示す摺動箱（６）状態の格納位置から引出位置に引出す時の操作と作動の関係から説明する。図１１に示す摺動外箱（６１）を左手で押さえ、両摘み（７３）を右手指で挟み摘み込んでロックピン（７２）をロックピン摺動長さ（ｖ）だけ摺動させて摺動溝（７９）まで抜き出し、次いで摘み込んだ状態でコイルスプリング（８０）の引張作用に抗して出し入れ摺動長さ（ｕ）だけ引出すとロックピン（７２）は摺動溝（７９）外端即ち引出位置のロックピン穴（７８）中心線上で止まる。次いで両摘み（７３）を放すと、ロックピン（７２）はＶ字バネ（８４）の拡幅作用でロックピン穴（７８）内にロックピン摺動長さ（ｖ）だけ摺動して両摺動箱（６）が引出位置に図１１下半側のロックピン（７２）状態のようにロックされて両摺動箱（６）相対位置が固定される。また、中間引出位置にロックしたい時は、両摘み（７３）を挟み摘み込んで引出す位置を中間ロックピン穴（７８）と後端ロックピン穴（７８）間で指を放すと、ロックピン（７２）は中間ロックピン穴（７８）中心線上まで摺動して止まりＶ字バネ（８４）の拡幅作用によりロックピン穴（７８）内にロックピン摺動長さ（ｖ）摺動してロックされる。
【００１９】
摺動箱（６）を格納位置に格納する時は、図１１の両摘み（７３）を摘み込んで中間位置の左奥側まで摺動移動させて放すと、ロックピン（７２）はコイルスプリング（８０）の引張作用により摺動内箱（６２）と共に摺動外箱（６１）の奥へ引き込まれてストッパー（８２）に当り、ロックピン（７２）は奥のロックピン穴（７８）中心線上に止まって、Ｖ字バネ（８４）の拡幅作用によりロックピン穴（７８）内にロックピン摺動長さ（ｖ）分だけ摺動し両摺動箱（６）が格納位置に図１１下半側のロックピン（７２）状態にロック、固定される。また、中間引出位置にロックされた摺動底（１３）を格納する時は両摘み（７３）を一度摘み込んで指を放すと、ロックピン（７２）は奥ロックピン穴（７８）中心線上まで摺動して止まりＶ字バネ（８４）の拡幅作用によりロックピン穴（７８）内にロックピン摺動長さ（ｖ）摺動してロックされる。
【００２０】
摺動底（１３）の使用方法を説明する。摺動底（１３）後突出部（１１１）は、指で両摘み（７３）を摘み込み引出位置まで引き出して放し、所定位置に設置して長い湾曲踵底靴として使用する。格納は、摺動接地面（２３）を離地させて指で両摘み（７３）を摘み込み中間位置の奥側まで摺動移動して指を放すと、自動的に格納される。短い湾曲踵底靴として使用する。また、必要に応じて手を使わずに足を使い、次の方法で後突出部（１１１）の設置および格納ができる。一方の足の動作で摺動接地面（２３）を離地させ、他方の足動作で両摘み（７３）の頭頂鉤部に、もう一方の底（１）のオフ用リング（１３）を引っ掛け、引出位置まで引出して外すと自動的に設置できる。格納は、摺動接地面（２３）を離地させてロックオフピン（８７）の頭頂部をもう一方の底（１）内側外側面で押え込んでから放すと、摺動底（１３）は自動的に中間位置に移動しロックされる。再度ロックオフピン（８７）を押すと自動的に奥に摺動し格納される。
【００２１】
第２実施の形態は、後突出部（１１１）を前記踵底（１１）から分離し、分離元の前記踵底（１１）内部に、後方に開口した空洞の中央凹箱（９１１）と側壁に引掛け穴（９３）を備える側凹箱（９１２）で成る凹箱（９１）を設け、分離された前記後突出部（１１１）内部に前記凹箱（９１）内に挿入して接合固定する前記中央凹箱（９１１）内部に挿入接合する中央凸箱（９２１）と前記側凹箱（９１２）の引掛け穴（９３）に引掛ける引掛け爪（９７）を備える側凸部（９２２）で成る凸箱（９２）を設け、前記側凸部（９２２）内の駆動バー（９６）に接続して前記後突出部（１１１）前方側壁の側壁孔（９５１）を外へ貫通して接続する摘み（９４）を介して駆動操作できる引掛け爪（９７）駆動装置（７）を設けて付け踵底（１４）を構成する。そして、前記踵底（１１）内部の凹箱（９１）に付け踵底（１４）の後突出部（１１１）に設けた凸箱（９２）を挿入し接合固定して取付けると長い湾曲踵底として使用できる。また、凹箱（９１）に挿入し接合固定された凸箱（９２）を引抜き、付け踵底（１４）を取外すと短い湾曲短踵底として使用できる。
【実施例３】
【００２２】
実施例３は取付け外しできる付け踵底（１４）後突出部（１１１）の代表例である。図１３は第２実施形態の実施例３、付け踵底（１４）の代表例の取付け図で、湾曲踵底靴の部分断面図を含む立面図である。図１４は  図１３の、下から見たＣＣ部分断面図を含む平面図である。図１５は図１４のＥ部分拡大断面図である。図１６は図１３の後突出部（１１１）の取付け面を前方から見た側面図である。図１７は図１５のＦ部分拡大図である。図に基づき概要を説明する。図１３の後突出部（１１１）は踵底（１１）の従来靴後端位置部分を垂直面で切り離し、分離元の前記踵底（１１）内部に、図１４に示すように後方に開口した断面が矩形状の長い空洞の中央凹箱（９１１）と接続部（９１３）を介して両側に接続する図１５の部分拡大断面図に示す側壁に引掛け穴（９３）を備える側凹箱（９１２）で成る凹箱（９１）を設け、前記後突出部（１１１）内部に前記中央凹箱（９１１）内部に挿入接合する先端が滑らか弾頭状に湾曲して断面外形が矩形で長い中空柱状の中央凸箱（９２１）と前記側凹箱（９１２）の内鉤の引掛け穴（９３）に外鉤で引掛ける引掛け爪（９７）を備える側凸部（９２２）で構成する凸箱（９２）を設け、前記側凸部（９２２）内の駆動バー（９６）に接続して前記後突出部（１１１）前方側壁（９５）の側壁孔（９５１）を外へ貫通して接続する摘み（９４）を介して駆動操作できる引掛け爪（９７）駆動装置（７）を設ける。そして前記駆動バー（９６）は右端の根元に設けるバネ部（９７３）を介して側壁（９５）に片持ちで接続し、中間位置外側で前記摘み（９４）を接続し、左端外側に前記引掛け爪（９７）を設け内側に対向して設けた案内突起（９８）の摺動ピン穴（９８２）に内外水平方向に摺動するように摺動ピン（９７２）を設ける。前記摺動ピン穴（９８２）の外周にスプリング用溝（９８１）を廻らせて設け、その溝中に前記駆動バー（９６）を常に外側へ押し戻すようにコイル状のスプリング（９８３）を廻らせて設ける。前記案内突起（９８）は中央凸箱（９２１）の根元部の両側の接続部（９２３）に強固に接続し、図１５、１７の部分拡大図に示す案内突起（９８）は接合面から前方へ突起して接合時には側凹箱（９１２）内側に挿入されて前記スプリング（９８３）を介して引掛け爪（９７）を引掛け穴（９３）に押付けて支持する。
【００２３】
中央凹箱（９１１）と中央凸箱（９２１）は軽くて衝撃に強く、かつしっかりと接合して着踵時の体重負荷でも撓まない構造とし、側凹箱（９１２）と側凸部（９２２）は、接合と分離のためのロックオンオフ機能を主に設けた例である。したがって、中央凹箱（９１１）と中央凸箱（９２１）は衝撃に強い特性仕様のプラスチック製や軽合金製が適している。
後突出部（１１１）を踵底（１１）から取外す時は、図１３に基づき説明すると、踵底（１１）を左手で上から挟むように押さえ、右手の親指と人差し指を後突出部（１１１）の摘み（９４）に摘み添え、残りの３本の指と掌で後突出部（１１１）の両側部を挟み持って、前記摘み添えた指を摘み込み、図１５の部分拡大断面図の引掛け爪（９７）をロックピン摺動長さ（ｖ）だけ摺動させて引掛け穴（９３）から外した状態で、挟み持った前記後突出部（１１１）を引き抜いて取外す。
反対に後突出部（１１１）を踵底（１１）に取付ける時は、踵底（１１）の後端を右に向けて踵底（１１）接合面と後突出部（１１１）接合面を向い合せに置き、左手の掌をコの字に開いて踵底（１１）両側部を上から挟み持ち上げて、右手の親指と人差し指を後突出部（１１１）の摘み（９４）に摘み添え、残りの３本の指と掌で後突出部（１１１）両側部を挟み持ち上げ、踵底（１１）の凹箱（９１）と後突出部（１１１）凸箱（９２）を対向させて中央凹箱（９１１）入口に中央凸箱（９２１）突端を滑らして挿入すると矩形箱穴面に矩形柱外面が摺動して両側の側凹箱（９１２）内に側凸部（９２２）の引掛け爪（９７）が案内面（９３１）で案内されて引掛け爪摺動長さ（ｘ）だけ中央側に摺動しながら引掛け穴（９３）位置に挿入長さ（ｗ）だけ挿入され、両者の接合面が完全に接合してスプリング（９８３）の作用により引掛け穴（９３）にロックされる。
【００２４】
後突出部（１１１）は踵底（１１）凹箱（９１）に、後突出部（１１１）の凸箱（９２）を、摘み（９４）を押さえて挿入、接合ロックすると長い湾曲踵底靴として使用できる。また、踵底（１１）凹箱（９１）から後突出部（１１１）凸箱（９２）を、摘み（９４）を押さえて引抜き、取外すと短い湾曲踵底靴として使用できる。
【符号の説明】
【００２５】
１  底（甲皮を除く靴底部分）
１１  踵底
１１１  後突出部
１２  つま先底
１３  摺動底
１４  付け踵底
２  接地面
２１  踵接地面
２２  つま先接地面
２３  摺動接地面
２４  付け接地面
３  接足面
４  甲皮
４１  オン用リング
５  締結具
５１  踵締結具
５２  つま先締結具
６  摺動箱
６１  摺動外箱
６２  摺動内箱
７  ピン駆動リンク装置
７１  駆動バー
７２  ロックピン
７３  摘み
７４  ピン
７５  アーム
７６  中央アーム
７７  ロックピン孔
７８  ロックピン穴
７９  摺動溝
８０  コイルスプリング
８１  止具
８２  ストッパー
８３  開通口
８４  Ｖ字バネ
８５  止具
８６  ストッパー
８７  ロックオフピン
８８  コイルスプリング
８９  側壁穴
９  （付け箱）
９１  凹箱
９１１  中央凹箱
９１２  側凹箱
９１３  接続部
９２  凸箱
９２１  中央凸箱
９２２  側凸部
９２３  接続部
９２４  凸箱奥部
９３  引掛け穴
９３１  案内面
９４  摘み
９５  側壁
９５１  側壁孔
９６  駆動バー
９７  引掛け爪
９７１  頭部
９７２  摺動ピン
９７３  バネ部
９８  先導部
９８１  窪み部
９８２  摺動ピン用穴
９８３  スプリング
ｔ  踵後突出長（足踵後端から踵底後端までの水平長さ）
Ｋ  踝
Ｒ  半径
α  接足面傾斜角度（水平に対して、つま先下がりが＋）
ａ  足脚
ｐ３  垂直立脚点（静止）
ｕ  摺動長さ
ｖ  ロックピン摺動長さ
ｗ  挿入長さ
ｘ  引掛け爪摺動長さ
Φ  摺動回転角
【図１】
2011139745.tif 000003
【図２】
2011139745.tif 000004
【図３】
2011139745.tif 000005
【図４】
2011139745.tif 000006
【図５】
2011139745.tif 000007
【図６】
2011139745.tif 000008
【図７】
2011139745.tif 000009
【図８】
2011139745.tif 000010
【図９】
2011139745.tif 000011
【図１０】
2011139745.tif 000012
【図１１】
2011139745.tif 000013
【図１２】
2011139745.tif 000014
【図１３】
2011139745.tif 000015
【図１４】
2011139745.tif 000016
【図１５】
2011139745.tif 000017
【図１６】
2011139745.tif 000018
【図１７】
2011139745.tif 000019